(57)【要約】【課題】任意の色温度の光を発光させることが可能な発光装置および発光装置の駆動方法を提供する。【解決手段】互いに逆極性となるように並列接続された一方および他方の発光ダイオード装置２、３と、極性反転が自在な定電流電源装置４とからなり、一方の発光ダイオード装置２の色温度が、発光ダイオード装置３の色温度より高く設定されていることを特徴とする発光装置１を採用する。【選択図】図１
2008171984.tif 000002
【特許請求の範囲】
【請求項１】
互いに並列接続された複数の発光ダイオード装置と、極性反転が自在な電源装置とからなり、前記各発光ダイオード装置の色温度が相互に異なる色温度に設定されていることを特徴とする発光装置。
【請求項２】
互いに逆極性となるように並列接続された一方および他方の発光ダイオード装置と、極性反転が自在な電源装置とからなり、前記一方の発光ダイオード装置の色温度が、他方の発光ダイオード装置の色温度より高く設定されていることを特徴とする発光装置。
【請求項３】
前記極性反転が自在な電源装置が、互いに逆極性となるように並列接続された一対の直流電源と、前記の各直流電源にそれぞれ直列接続された一対のスイッチング装置とからなることを特徴とする請求項１または請求項２に記載の発光装置。
【請求項４】
前記発光ダイオード装置のうちの少なくとも一つが、互いに直列接続された複数の発光ダイオードからなることを特徴とする請求項１乃至請求項３のいずれかに記載の発光装置。
【請求項５】
互いに並列接続された複数の発光ダイオード装置を具備してなる発光装置の駆動方法であって、
前記発光装置には、極性反転が自在な電源装置が備えられるとともに、前記各発光ダイオード装置の色温度が相互に異なる色温度に設定され、
前記極性反転が自在な電源装置によって交流電流を発生させて、前記各発光ダイオード装置をそれぞれ交互に発光させることにより、各発光ダイオード装置の色温度を合成した色温度の光を発光させることを特徴とする発光装置の駆動方法。
【請求項６】
互いに逆極性となるように並列接続された一方および他方の発光ダイオード装置を具備してなる発光装置の駆動方法であって、前記発光装置には、極性反転が自在な電源装置が備えられるとともに、前記一方の発光ダイオード装置の色温度Ｔ１が前記他方の発光ダイオード装置の色温度Ｔ２より高く設定され、前記極性反転が自在な電源装置によって交流電流を発生させて、前記一方および他方の発光ダイオード装置を交互に発光させることにより、色温度がＴ２を超えてＴ１未満の合成光を発光させることを特徴とする発光装置の駆動方法。
【請求項７】
互いに並列接続された複数の発光ダイオード装置を具備してなる発光装置の駆動方法であって、
前記発光装置には、極性反転が自在な電源装置が備えられるとともに、前記各発光ダイオード装置の色温度が相互に異なる色温度に設定され、
前記極性反転が自在な電源装置によって直流電流を発生させることにより、前記各発光ダイオード装置の一部または全部を発光させることを特徴とする発光装置の駆動方法。
【請求項８】
互いに逆極性となるように並列接続された一方および他方の発光ダイオード装置を具備してなる発光装置の駆動方法であって、前記発光装置には、極性反転が自在な電源装置が備えられるとともに、前記一方の発光ダイオード装置の色温度Ｔ１が前記他方の発光ダイオード装置の色温度Ｔ２より高く設定され、前記極性反転が自在な電源装置によって直流電流を発生させることにより、前記一方および他方の発光ダイオード装置のいずれかを発光させることを特徴とする発光装置の駆動方法。
【発明の詳細な説明】
【技術分野】
【０００１】
本発明は、発光装置および発光装置の駆動方法に関するものである。
【背景技術】
【０００２】
従来、一対の発光ダイオードを互いに逆極性となるように接続した並列回路と、この並列回路に交流電流を印加する交流電源とを備えた発光ダイオード駆動回路が知られている（例えば下記特許文献１、２）。この従来の発光ダイオード駆動回路においては、交流電流を印加することで、一対の発光ダイオードを交互に発光させている。
【特許文献１】特開平８−２６５１２９号公報
【特許文献２】特開２００１−３３２７６５号公報
【発明の開示】
【発明が解決しようとする課題】
【０００３】
しかし、特許文献１に示すような従来の発光ダイオード駆動回路においては、一方の発光ダイオードに例えば青色発光ダイオードを使用し、他方の発光ダイオードには青色と別色の発光ダイオードを使用することで、青色および青色と別の色の合成色光を得ている例が多く、発光ダイオードの色温度については、何ら検討されて来なかった。
本発明は、上記事情に鑑みてなされたものであって、任意の色温度の光を発光させることが可能な発光装置および発光装置の駆動方法を提供することを目的とする。
【課題を解決するための手段】
【０００４】
上記の目的を達成するために、本発明は以下の構成を採用した。
［１］互いに並列接続された複数の発光ダイオード装置と、極性反転が自在な電源装置とからなり、前記各発光ダイオード装置の色温度が相互に異なる色温度に設定されていることを特徴とする発光装置。
［２］互いに逆極性となるように並列接続された一方および他方の発光ダイオード装置と、極性反転が自在な電源装置とからなり、前記一方の発光ダイオード装置の色温度が、他方の発光ダイオード装置の色温度より高く設定されていることを特徴とする発光装置。
［３］前記極性反転が自在な電源装置が、互いに逆極性となるように並列接続された一対の直流電源と、前記の各直流電源にそれぞれ直列接続された一対のスイッチング装置とからなることを特徴とする前項１または前項２に記載の発光装置。
［４］前記発光ダイオード装置のうちの少なくとも一つが、互いに直列接続された複数の発光ダイオードからなることを特徴とする前項１乃至前項３のいずれかに記載の発光装置。
［５］互いに並列接続された複数の発光ダイオード装置を具備してなる発光装置の駆動方法であって、前記発光装置には、極性反転が自在な電源装置が備えられるとともに、前記各発光ダイオード装置の色温度が相互に異なる色温度に設定され、前記極性反転が自在な電源装置によって交流電流を発生させて、前記各発光ダイオード装置をそれぞれ交互に発光させることにより、各発光ダイオード装置の色温度を合成した色温度の光を発光させることを特徴とする発光装置の駆動方法。
［６］互いに逆極性となるように並列接続された一方および他方の発光ダイオード装置を具備してなる発光装置の駆動方法であって、前記発光装置には、極性反転が自在な電源装置が備えられるとともに、前記一方の発光ダイオード装置の色温度Ｔ１が前記他方の発光ダイオード装置の色温度Ｔ２より高く設定され、前記極性反転が自在な電源装置によって交流電流を発生させて、前記一方および他方の発光ダイオード装置を交互に発光させることにより、色温度がＴ２を超えてＴ１未満の合成光を発光させることを特徴とする発光装置の駆動方法。
［７］互いに並列接続された複数の発光ダイオード装置を具備してなる発光装置の駆動方法であって、前記発光装置には、極性反転が自在な電源装置が備えられるとともに、前記各発光ダイオード装置の色温度が相互に異なる色温度に設定され、前記極性反転が自在な電源装置によって直流電流を発生させることにより、前記各発光ダイオード装置の一部または全部を発光させることを特徴とする発光装置の駆動方法。
［８］互いに逆極性となるように並列接続された一方および他方の発光ダイオード装置を具備してなる発光装置の駆動方法であって、前記発光装置には、極性反転が自在な電源装置が備えられるとともに、前記一方の発光ダイオード装置の色温度Ｔ１が前記他方の発光ダイオード装置の色温度Ｔ２より高く設定され、前記極性反転が自在な電源装置によって直流電流を発生させることにより、前記一方および他方の発光ダイオード装置のいずれかを発光させることを特徴とする発光装置の駆動方法。
【発明の効果】
【０００５】
本発明によれば、任意の色温度の光を発光させることが可能な発光装置および発光装置の駆動方法を提供できる。
【発明を実施するための最良の形態】
【０００６】
以下、本発明の実施の形態を図面を参照して説明する。
図１は、本実施形態の発光装置の回路構成を示す回路図である。
図１に示すように、本実施形態の発光装置１は、一方および他方の発光ダイオード装置（以下、第１発光ダイオード装置２、第２発光ダイオード装置３という）と、各発光ダイオード装置２、３を駆動する電源装置４とから概略構成されている。また、各発光ダイオード装置２、３には、電流制御用の抵抗５、６がそれぞれ直列に接続されている。
【０００７】
第１、第２発光ダイオード装置２、３は、互いに逆極性となるように並列接続されている。また、第１、第２発光ダイオード装置２、３はそれぞれ、複数の発光ダイオードが直列に接続されて構成されており、図１においては各発光ダイオード装置２、３がそれぞれ、３つの発光ダイオード２ａ〜２ｃ、３ａ〜３ｃから構成されている。第１、第２発光ダイオード装置２、３における発光ダイオード２ａ〜２ｃ、３ａ〜３ｃはそれぞれ、相互に順極性となるように接続されている。
また、各発光ダイオード２ａ〜２ｃ、３ａ〜３ｃは、ｐｎ接合を有する半導体発光素子と、半導体発光素子を被覆する図示略の透明樹脂体とから概略構成されている。透明樹脂体には、蛍光体粉末が混合されており、例えば青色光を発する半導体発光素子に対して黄色の蛍光体単独または緑色と赤色の蛍光体の混合物が含有されている。そして、半導体発光素子の出力に対して、各色の蛍光体の含有量を変えることで、様々な色温度の光を放射できるようになっている。
なお、第１発光ダイオード装置２を構成する発光ダイオード２ａ〜２ｃの色温度は相互に同じ色温度であることが好ましい。同様に、第２発光ダイオード装置３を構成する発光ダイオード３ａ〜３ｃの色温度についても、相互に同じ色温度であることが好ましい。
【０００８】
第１、第２発光ダイオード装置２、３が発する光の色温度は、２０００Ｋ以上１２０００Ｋ以下の範囲が好ましい。また、第１発光ダイオード装置２が発する光の色温度は、第２発光ダイオード装置３が発する光の色温度よりも高い色温度であることが望ましい。第１、第２発光ダイオード装置２、３の色温度としては例えば、昼光色を示す６５００Ｋ、電球色を示す３０００Ｋ、昼白色を示す５０００Ｋ、白色を示す４２００Ｋ、温白色を示す３５００Ｋ等を例示できる。第１、第２発光ダイオード装置２、３の色温度の組合せとしては、例えば、第１発光ダイオード装置２が６５００Ｋであるのに対して第２発光ダイオード装置３を３０００Ｋにする組合せ、第１発光ダイオード装置２が１００００Ｋであるのに対して第２発光ダイオード装置３を２５００Ｋにする組合せ、第１発光ダイオード装置２が５０００Ｋであるのに対して第２発光ダイオード装置３を２５００Ｋにする組合せ等を例示できる。
【０００９】
次に、電源装置４は、各発光ダイオード装置２、３に対し、交流電流または直流電流を自在に印加でき、かつ直流電流の電流方向を任意に反転できるもの、即ち極性反転が自在なものであれば、どのようなものでもよい。また、印加電流のパルス幅、デューティ比を自在に変更できるパルス電源がより好ましい。
図１には、定電流電源装置４の一例を示す。図１に示す定電流電源装置４は、互いに逆極性となるように並列接続された一対の直流電源４ａ、４ｂと、各直流電源４ａ、４ｂにそれぞれ直列接続された一対のスイッチング装置４ｃ、４ｄとから概略構成されている。一対のスイッチング装置４ｃ、４ｄは、図示しない制御手段によってスイッチの切換が任意に行われるように構成されている。
【００１０】
図１に示す定電流電源装置４において、交流電流を発生させるには、一対のスイッチング装置４ｃ、４ｄを交互にオンオフすればよい。例えば、各スイッチング装置４ｃ、４ｄにおけるオンオフの間隔を同じ時間（パルス幅）ｔ１に設定することにより、図２に示すような一定の波長を有する矩形波の交流電流が発生する。
また、スイッチング装置４ｃのオンの時間（パルス幅）をｔ２にするとともにオフの時間をｔ３とし、スイッチング装置４ｄのオンの時間（パルス幅）をｔ３にするとともにオフの時間をｔ２とすることで、図３に示すような不規則な矩形波の交流電流が発生する。尚、ｔ２／（ｔ2＋ｔ３）の値（所謂デューティー比）を変化させることで、明るさを制御することが可能になる。
【００１１】
また、図１に示す定電流電源装置４において、直流電流を発生させるには、一対のスイッチング装置のうちスイッチング装置４ｄを常時オンにし、スイッチング装置４ｃを常時オフにすればよい。これにより、図１において反時計回り方向（矢印Ａ方向）の直流電流が流れる。また、一対のスイッチング装置のうちスイッチング装置４ｃを常時オンにし、スイッチング装置４ｄを常時オフにすることで、図１において時計回り方向（矢印Ｂ方向）の直流電流が流れる。
【００１２】
交流電流、直流電流のいずれの場合においても、矢印Ａ方向に流れる電流は、Ａ方向に対して順極性である第２発光ダイオード装置３を駆動する。また、矢印Ｂ方向に流れる電流は、Ｂ方向に対して順極性である第１発光ダイオード装置２を駆動する。このようにして、電流の向きを制御することで、第１、第２発光ダイオード装置２、３のうち、いずれか一方の発光ダイオード装置を任意に発光させることが可能になる。
【００１３】
例えば、図２に示すような交流電流を流した場合には、第１発光ダイオード装置２および第２発光ダイオード装置３が交互に時間ｔ１ずつ発光する。このとき、双方の発光ダイオード装置２、３からの光が合成されて合成光になる。そして、各発光ダイオード装置２、３の発光時間がともに同じ時間ｔ１ずつ発光するので、見かけ上の合成光の色温度が、第１発光ダイオード２の色温度Ｔ１と第２発光ダイオード３の色温度Ｔ２のほぼ中間の色温度になる。１／２ｔ１で表される所謂電源周波数が１００Ｈｚ程度以上であれば、人間の目には合成された光として感じられる。数Ｈｚ以上であればちらつき感の少ない光としてなお望ましい。
【００１４】
また、図３に示すような交流電流を流した場合には、第１発光ダイオード装置２および第２発光ダイオード装置３が交互に発光するが、発光時間はそれぞれ、第２発光ダイオード装置３が時間ｔ３となり、第１発光ダイオード装置２がｔ２となる。このとき、１／（ｔ２＋ｔ３）（電源周波数）が１００Ｈｚ程度以上になると、ちらつき感が感じなくなり、見かけ上、第１、第２発光ダイオード装置２、３からの光が合成されて合成光になる。そして、第１、第２発光ダイオード装置２、３の発光時間がそれぞれｔ２およびｔ３（ｔ３＜ｔ２）なので、見かけ上の合成光の色温度が、色温度Ｔ１とＴ２のほぼ中間の色温度から第１発光ダイオード装置２の色温度Ｔ１側に寄った色温度になる。
電源周波数は、上述したように、１００Ｈｚ以上の範囲で任意の値に設定することが好ましく、１００Ｈｚを超えて１０ｋＨｚ未満の範囲がより好ましい。また、電流値は、例えば３５０μｍ角の発光ダイオードチップの場合に−２０ｍＡ〜２０ｍＡの範囲で設定することが好ましい。
【００１５】
更に、矢印Ａ方向に向けて直流電流を流した場合には、第２発光ダイオード装置３のみが発光し、色温度Ｔ２の光を発する。
更にまた、矢印Ｂ方向に向けて直流電流を流した場合には、第１発光ダイオード装置２のみが発光し、色温度Ｔ１の光を発する。
【００１６】
更に、図４に示すようなパルス電流を流した場合には、第１発光ダイオード装置２および第２発光ダイオード装置３が交互に発光するが、発光時間はそれぞれ、第２発光ダイオード装置３が時間ｔ５となり、第１発光ダイオード装置２がｔ４となり、第１，第２発光ダイオード装置の発光間隔がｔ６となる。このとき、１／（ｔ４＋ｔ５＋ｔ６）（電源周波数）が１００Ｈｚ程度以上になると、ちらつき感が感じなくなり、見かけ上、第１、第２発光ダイオード装置２、３からの光が合成されて合成光になる。また、ｔ６を適宜調整することで、明るさを変えることができる。電源周波数は、上述したように、１００Ｈｚ以上の範囲で任意の値に設定することが好ましく、１００Ｈｚを超えて１０ｋＨｚ未満の範囲がより好ましい。また、電流値は−２０ｍＡ〜２０ｍＡの範囲で設定することが好ましい。
【００１７】
また、直流電流によって第１または第２発光ダイオード装置２、３を駆動する際に、静電気等の影響によって、直流電流とは逆方向の電流（逆方向過電圧）が発光装置１の回路を瞬間的に流れる場合がある。このような場合、例えば第２発光ダイオード装置３を駆動すべくＡ方向に向けて直流電流を流している際に逆方向過電圧が生じた場合には、過電圧電流が第１発光ダイオード装置２を流れ、結果的に第１発光ダイオード装置２が第２発光ダイオード装置３に対する保護回路となる。
同様に、第１発光ダイオード装置２を駆動すべくＢ方向に向けて直流電流を流している際に逆向きの電流（逆方向過電圧）が流れた場合には、逆方向過電圧電流が第２発光ダイオード装置３を流れ、結果的に第２発光ダイオード装置３が第１発光ダイオード装置２に対する保護回路となる。
【００１８】
本実施形態に係る第１、第２発光ダイオード装置２、３からなる並列回路は、例えば、図５に示すようなランプによって実現することができる。図５には本実施形態に係る第１、第２発光ダイオード装置２、３を備えたランプの斜視図を示す。  図５に示すランプ５１は、第１、第２発光ダイオード装置５２Ａ、５２Ｂと、これら発光ダイオード装置５２Ａ、５２Ｂが実装された実装体５３と、カバープレート５４とから概略構成されている。
【００１９】
第１、第２発光ダイオード装置５２Ａ、５２Ｂは、図示しない３つの発光ダイオードがそれぞれ直列に接続されて構成されている。各発光ダイオード装置５２Ａ、５２Ｂにおいては、直列に接続された３つの発光ダイオードが透明樹脂体によって封止されている。発光ダイオードとしては、ｐｎ接合を有する半導体発光素子を例示できる。また、透明樹脂体には、蛍光体粉末が混合されており、例えば青色光を発する発光ダイオードに対して黄色の蛍光体単独または緑色と赤色の蛍光体の混合物が含有されている。そして、第１、第２発光ダイオード装置５２Ａ、５２Ｂは、異なる色温度の光を発光するように組み合わされている。
【００２０】
また、実装体５３は、アルミニウム等からなる図示しない金属基板と、金属基板の一面上に形成された図示しない絶縁樹脂膜と、絶縁樹脂膜上に形成された図示しない銅箔とから概略構成されている。銅箔は、所定のパターン形状にパターニングされており、これにより、第１、第２発光ダイオード装置５２Ａ、５２Ｂに対応する図示略の電極パターンが設けられるとともに、外部回路に接続するための図示略の配線パターンが設けられる。
【００２１】
次に、図５に示すように、カバープレート５４は、貫通孔５４ｃが設けられており、貫通孔５４ｃの内部には、第１、第２発光ダイオード装置５２Ａ、５２Ｂが収納されている。第１、第２発光ダイオード装置５２Ａ、５２Ｂを覆うように、色の混色を促す拡散板を設置するとなお望ましい。
【００２２】
更に、このランプ５１の配線パターンに対して、電流制御用の抵抗を接続するとともに、第１、第２発光ダイオード装置５２Ａ、５２Ｂが相互に逆極性となるように並列接続し、更に定電流電源装置を接続することで、図１に示すような回路構成を構成できる。
【００２３】
以上説明したように、定電流電源装置４から交流電流または直流電流を発生させ、これらの電流によって第１、第２発光ダイオード装置２、３を駆動することにより、任意の色温度を示す光を発光させることができる。
また、逆方向過電圧発生時に、第１、第２発光ダイオード装置２、３がそれぞれ、もう一方の発光ダイオード装置の保護回路になるので、各発光ダイオード装置２、３の破損を防止することができる。
【実施例】
【００２４】
「実施例１」
プリント基板上に、色温度が６５００Ｋの昼光色である第１発光ダイオード装置２と、電流調整用のチップ抵抗５を直列に接続した。また色温度が３０００Ｋの電球色である第２発光ダイオード装置３と、電流調整用のチップ抵抗６を直列に接続した。そして、第１、第２発光ダイオード装置２、３を互いに逆極性となるように並列接続した。このようにして、図１に示すような回路構成を有する発光装置を製造した。各発光ダイオード装置はそれぞれ、０．３５ｍｍ角で厚みが８０μｍの青色ＬＥＤチップが３個直列に接続されており、２０ｍＡで１０．５Ｖの順方向電圧を示すものであった。
尚、定電流電源装置４に備えられた一対のスイッチング装置４ｃ、４ｄには、制御手段として手動切換装置を取り付けた。この手動切換装置には、オフモード、昼光色モードおよび電球色モードの３つのモードを切り替える切換スイッチが備えられている。
ここで、オフモードとは、図１におけるスイッチング装置４ｃ、４ｄの両方をオフにするモードであり、昼光色モードとは、スイッチング装置４ｃをオンにするとともにスイッチング装置４ｄをオフにして第１発光ダイオード装置２のみを駆動するモードであり、電球色モードとは、スイッチング装置４ｄをオンにするとともにスイッチング装置４ｃをオフにして第２発光ダイオード装置３のみを駆動するモードである。
そして、上記構成の発光装置を、自動車のサンシェード裏に仕込まれている鏡の脇に組み込んだ。
【００２５】
上記の発光装置を点灯する際には、手動切換装置の切換スイッチを任意のモードに合わせればよい。即ち、昼光色モードに設定することで、スイッチング装置４ｃがオンになるとともにスイッチング装置４ｄがオフになり、これにより図１中矢印Ｂ方向に直流電流が流れ、第１発光ダイオード装置２が駆動されて色温度６５００Ｋの昼光色光が得られた。
また、電球色モードに設定することで、スイッチング装置４ｄがオンになるとともにスイッチング装置４ｃがオフになり、これにより図１中矢印Ａ方向に直流電流が流れ、第２発光ダイオード装置３が駆動されて色温度３０００Ｋの電球色光が得られた。
【００２６】
「実施例２」
実施例１における手動切換装置に替えて、自動切換装置を備えたこと以外は上記実施例１と同様にして、実施例２の発光装置を製造した。
この発光装置に備えられた自動切換装置は、定電流電源装置のスイッチング装置を自動制御して、図２または図３に示すような矩形破の交流電流を発生させるものである。例えば、図２に示すような、＋２０ｍＡ〜−２０ｍＡの範囲で、０．５ミリ秒のパルス幅（ｔ１）で極性が交互に変わる交流電流や、図３に示すような、＋２０ｍＡ〜−２０ｍＡの範囲で、０〜１ミリ秒のパルス幅（ｔ２、ｔ３）で極性が交互に変わる図３に示すような交流電流を発生できるものである。尚、ｔ２、ｔ３は、１ミリ秒以上の任意の時間にも設定可能である。
上記構成の発光装置において、パルス幅ｔ２を０．５ミリ秒とし、パルス幅ｔ３を０．５ミリ秒とすることで、第１、第２発光ダイオード装置２、３の駆動時間が等しくなり、色温度４７００Ｋの合成光を発光できた。
また、上記構成の発光装置において、パルス幅ｔ２を０．６７ミリ秒とし、パルス幅ｔ３を０．３４ミリ秒とすることで、色温度５３００Ｋの合成光を発光できた。
更に、上記構成の発光装置において、パルス幅ｔ２を０．３４ミリ秒とし、パルス幅ｔ３を０．６７ミリ秒とすることで、色温度４０００Ｋの合成光を発光できた。
更に、上記構成の発光装置において、パルス幅ｔ２を０ミリ秒とし、パルス幅ｔ３を任意時間とすることで、第２発光ダイオード装置３のみが駆動し、色温度３０００Ｋの単色光を発光できた。
更に、上記構成の発光装置において、パルス幅ｔ２を任意時間とし、パルス幅ｔ３を０秒とすることで、第１発光ダイオード装置２のみが駆動し、色温度６５００Ｋの単色光を発光できた。
このように、実施例２の発光装置によれば、交流電流のパルス幅を任意に変更することで、色温度６５００Ｋ〜３０００Ｋの間の任意の色調の発光を得ることができる。
【００２７】
尚、本発明の技術的範囲は上記の実施形態に限定されるものではなく、様々な変更を加えてもよい。例えば、各発光ダイオード装置に封入される発光ダイオードチップの数は３個に限らず、１個以上であればよく、上限は無制限である。また、各発光ダイオード装置に封入される発光ダイオードチップは全て直列とは限らず、並列配置でもよい。また、発光ダイオード装置の数は２つに限らず、３つ以上でもよい。すなわち、発光ダイオード装置も複数個直列接続したものを更に複数列に渡って並列に接続し、これらを電源に接続してもよい。その際、また、各発光ダイオード装置を駆動する駆動電流を制限抵抗を変えることなどにより発光ダイオード装置ごとに変えてもよい。更に、発光ダイオード装置の中で、発光ダイオードチップを逆極性配置に並列接続し、それぞれの発光ダイオードチップを、異なる濃度の蛍光体が含有された透明樹脂で被覆することによって、本発明を具現化することも可能である。
【図面の簡単な説明】
【００２８】
【図１】図１は、本発明の実施形態である発光装置の回路構成を示す回路図。
【図２】図２は、交流電流の波形の一例を示すグラフである。
【図３】図３は、交流電流の波形の別の例を示すグラフである。
【図４】図４は、交流電流の波形の更に別の例を示すグラフである。
【図５】図５は、本発明の実施形態である発光装置を構成する実装構造体を示す模式図である。
【符号の説明】
【００２９】
１…発光装置、２…第１発光ダイオード装置（一方の発光ダイオード装置）、３…第２発光ダイオード装置（他方の発光ダイオード装置）、２ａ〜２ｃ、３ａ〜３ｃ…発光ダイオード、４…極性反転が自在な定電流電源装置、４ａ、４ｂ…直流電源、４ｃ、４ｄ…スイッチング装置
【図１】
2008171984.tif 000003
【図２】
2008171984.tif 000004
【図３】
2008171984.tif 000005
【図４】
2008171984.tif 000006
【図５】
2008171984.tif 000007